(57)【特許請求の範囲】
【請求項１】
縦に配置した前輪用ギヤケース内に配列された四つのギヤをハンドルを揺動させて連動回転させ、さらに横に配置した後輪用ギヤケース内に配列された三つのギヤをペダルを踏み回して連動回転させる駆動機構であって、前輪用及び後輪用の各駆動機構は、ラチェット機構の働きを介してギヤを連動回転させ車軸を回転させるようにし、その車軸の両側に車輪を取り付けて四輪駆動走行を可能とし、前輪用ギヤケースの上部及び下部をギヤケース支持フレームの間に、前輪用ギヤケース自体が回動するように支持した事を特徴とする四輪駆動サイクルマシン。
【発明の詳細な説明】
【技術分野】
【０００１】
本発明は、ラチェットアーム２のハンドル１を手により前後に遥動させる事とラチェット８付きクランク１０のペダル１２を足２７で踏み廻す事、それにより後輪１６と１７を回転させて前進走行を可能とした四輪駆動サイクルマシンに関するものである。
【背景技術】
【０００２】
従来から、足こぎ式乗り物の例として自転車等が挙げられる。四輪駆動サイクルマシンの例としては特許文献１に開示されているものもある。
【先行技術文献】
【特許文献】
【０００３】
【特許文献１】特開平１１−０４３０８９号公報
【発明の開示】
【発明が解決しようとする課題】
【０００４】
しかしながら、従来の自転車は一般に二輪車で左右のペダルを漕いで走行する乗り物であるため悪路、登坂には向いておらず、それから下肢障害者には乗ることは絶対無理である。それに従来の自転車は健常者のみ運転走行する乗り物として取り扱われてきたため下肢障害者には縁遠い乗り物であった。そのために健常者と同じように気軽に自転車に乗りたい、乗りたいけど乗れない、下肢障害者にも乗れる自転車があったらいいなどと思う。それから悪路、登坂などには向かない。このような不都合さを解決することを課題とする。  
【課題を解決するための手段】
【０００５】
この課題を解決するために、本発明は、縦に配置した前輪用ギヤケース内に配列された四つのギヤをハンドルを揺動させて連動回転させ、さらに横に配置した後輪用ギヤケース内に配列された三つのギヤをペダルを踏み回して連動回転させる駆動機構であって、前輪用及び後輪用の各駆動機構は、ラチェット機構の働きを介してギヤを連動回転させ車軸を回転させるようにし、その車軸の両側に車輪を取り付けて四輪駆動走行を可能とし、前輪用ギヤケースの上部及び下部をギヤケース支持フレームの間に、前輪用ギヤケース自体が回動するように支持した事を特徴とする。
【発明の効果】
【０００６】
本発明の四輪駆動サイクルマシンはラチェットアーム２にハンドル１とラチェット８付クランク１０それから縦型の前輪用ギヤケース４と横型の後輪用ギヤケース３３それに前二輪１８と１９と後二輪１６と１７の四輪で構成されており本発明により、下肢障害者でも健常者と同じように自転車同様乗ることが可能になる。本発明は四輪駆動車なので悪路でも安定した運転走行が望めそれとラチェット式なので登坂力に優れ途中で止まっても後ずさりすることがないので安全である。下肢障害者にとって本発明である四輪駆動サイクルマシンに乗ることにより行動範囲が広くなり新たな発見が出来て充実した日々が遅れる。悪路、登坂走行する人とか下肢障害者にとってはありがたい四輪駆動サイクルマシンといえる。      
【発明を実施するための最良の形態】
【０００７】
図１は、全体を現した左側面図であり、縦型の前輪用ギヤケース４と横型の後輪用ギヤケース３３が付いており、縦型の前輪用ギヤケースギヤケース４は前輪用で、ハンドル１の揺動で前輪１８と１９を回転させ前進走行させるためのものである。それと舵取りも左右自在に出来るようにしたものである。横型の後輪用ギヤケース３３は後輪用で、足漕ぎで後輪１６と１７を回転させて前進走行させるためのものである。図４に示すように前輪用のギヤケース４と後輪用のギヤケース３３内のギヤはギヤ比を出して回転速度を上げるため、大中小のギヤで構成されてあり、回転させることにより小ギヤへの負担が軽減されてギヤからギヤへの回転伝達が円滑に行われるのである。前述したハンドル１での舵取りは前輪用ギヤケース４の上下をギヤケース支持フレーム３と車体フレーム１３から上部回動軸５と下部回動軸６にて突き刺し左右自在に回動できるようにし、図６に示すように前輪用ギヤケース４より左右横に突き出したギヤ軸９にラチェットアーム２がギヤケース支持フレーム３をまたぐように付いているのでギヤ支持フレーム３に引っかかることなくハンドル１での前後揺動が出来ると共に前輪用ギヤケース４自体が左右回動できるので舵取りも左右自在に出来るようにしたことを特徴とする。  
【０００８】
図２は、本発明を正面からみた図であり、ギヤケース支持フレーム３に収まった前輪用ギヤケース４の上部左右から横に突き出た第一ギヤ軸９にハンドル１と一体になったラチェットアーム２をセットし揺動するようにした事である。それから前輪１８と１９は前輪用ギヤケース４の下部の第四ギヤ軸２５と一本化した車軸２０に取り付けて前進走行できるようにした事と後輪１６と１７も前輪同様に後輪用ギヤケース３３の両脇から突き出た車軸２０に取り付けて前輪後輪共々回転して四輪駆動走行を可能としたことである。尚、サドル１４は自転車と同じ構造で高さ調整が可能、ペダル１２はカカト２６を後へ蹴り上げるとき外れないようにするためカカト掛１１を設けペダル１２を漕げるようにしたことを特徴としてラチェット８つきクランク１０だから左右同時でも別々にでもペダル１２を漕げるようにした事である。                
【０００９】
実施例として、本発明である四輪駆動サイクルマシンは悪路、登坂走行に優れ下肢障害者にも乗れるように発明した乗り物なので、前述したようにハンドル１を持って前後に揺動すればラチェット機構の働きにより前輪１８と１９が同時に回転して前進走行させられるのである。手と脚を同時に両方使えば四輪駆動車にもなるので悪路も上り坂も走行可能になる。下肢障害者は脚漕ぎをしないで手漕ぎだけでも前進走行できるので手漕ぎ四輪自転車としても乗れる。それから脚漕ぎで走行する場合は、足２７をペダル１２にのせて自転車と同じように前へ踏みまわすように漕ぎ、そして後へ蹴り上げるときカカト掛１１にカカト２６が掛かって上へペダル１２が足２７と共に上がって一回転することを繰り返し走行する。反対側のペダル１２はクランク１０ともリンクしていないので自転車のペダルのように反対側は回転しないのでカカト掛１１は必須のものといえる。本発明が出来たことにより自転車としての乗り物がもう一種類増えたものとしていろんな人にいろんな乗り方を楽しんでもらいたいしその方が発明者としてはうれしいものである。                        
【産業上の利用可能性】
【００１０】
本発明は手漕ぎ足漕ぎ両方同時に漕いで四輪駆動自転車として乗り、脚漕ぎをしないで手漕ぎだけの二輪駆動自転車としてでも乗ることの出来る自転車なのである。前述したように悪路、登坂走行そして下肢障害者、一般にも利用していただけるように発明した四輪駆動サイクルマシンなのである。動力を伝達するためのギヤ類は前輪用ギヤケース４と後輪用３３の中へ収納することにより外気に触れないので錆びたり硬くなったりする事はないので潤滑油をさしてやらなければならないなどの余計な心配はしなくてもよいのである。本発明を利用することにより産業界にとっては企業発展の絶好の時であると思われ工業的にも量産することが可能であるため産業上の利用性は大いに期待できる四輪駆動サイクルマシンを提供する。
【図面の簡単な説明】
【００１１】
【図１】本発明の左側面全体図である。
【図２】本発明の正面図である。
【図３】本発明の平面図である。
【図４】本発明のギヤ連動回転するギヤケース内部構造図である。
【図５】本発明のカカト掛を設けた図である。
【図６】本発明のギヤケース支持フレームを上部より見た図である。
【図７】本発明の四輪駆動サイクルマシンの斜視図である。
【符号の説明】
【００１２】
１  ハンドル       
２  ラチェットアーム                                                  
３  ギヤケース支持フレーム
４  前輪用ギヤケース
５  ギヤケース上部回動軸
６  ギヤケース下部回動軸
７  バネ
８  ラチェット
９  第一ギヤ軸
１０  クランク
１１  サドル
１２  ペダル
１３  車体フレーム
１４  サドル
１５  シートポスト
１６  左後輪
１７  右後輪
１８  左前輪
１９  右前輪
２０  車軸
２１  第一ギヤ
２２  第二ギヤ
２３  第三ギヤ
２４  第四ギヤ
２５  第四ギヤ軸
２６  カカト
２７  足
２８  第一Ａギヤ
２９  第二Ｂギヤ
３０  第三Ｃギヤ
３１  第一Ａギヤ軸
３２  第三Cギヤ軸
３３  後輪用ギヤケース
【要約】      （修正有）【課題】悪路や登坂走行する健常者には、手と足の両方を使って漕ぐことにより四輪駆動自転車として、下肢障害者には手漕ぎで前輪駆動自転車として、いずれにも利用可能とすること。【解決手段】四輪駆動サイクルマシンは、ハンドル１の揺動で前二輪１８，１９を回転させ、ペダル１２による足漕ぎで後二輪１６，１７を回転させて、四輪駆動サイクルマシンとして走行できるので、悪路、登坂力に優れており、下肢障害者の場合は、ハンドル揺動だけで前二輪駆動自転車として乗ることができる。【選択図】図１【図１】
0004822149.tif 000002
【図２】
0004822149.tif 000003
【図３】
0004822149.tif 000004
【図４】
0004822149.tif 000005
【図５】
0004822149.tif 000006
【図６】
0004822149.tif 000007
【図７】
0004822149.tif 000008